(57)【要約】【課題】熱の利用効率を高めつつ、より清浄度の高いクリーン蒸気を発生させられる蒸気発生装置を提供すること。【解決手段】圧力容器１０、及び圧力容器１０の内部に配置され内部に蒸気が流通するチューブ２０を有し、圧力容器１０の内部の貯留水を、チューブ２０を流通する蒸気により加熱して蒸気を発生させる蒸気発生装置１であって、チューブ２０に蒸気を供給する蒸気供給ラインＬ１と、チューブ２０を流通したドレンを排出するドレン排出ラインＬ２と、圧力容器１０に給水する給水ラインＬ３と、圧力容器１０の水位が所定の目標水位となるように圧力容器１０に連続給水する給水手段３３と、給水ラインＬ３を流通する給水とドレン排出ラインＬ２を流通するドレンとの間で熱交換を行う熱交換器３０と、を備える。【選択図】図１
2020041771.tif 000002
【特許請求の範囲】
【請求項１】
圧力容器、及び該圧力容器の内部に配置され内部に蒸気が流通するチューブを有し、該圧力容器の内部の貯留水を前記チューブを流通する蒸気により加熱して蒸気を発生させる蒸気発生装置であって、
前記チューブに蒸気を供給する蒸気供給ラインと、
前記チューブを流通したドレンを排出するドレン排出ラインと、
前記圧力容器に給水する給水ラインと、
前記給水ラインに配置され、前記圧力容器の水位が所定の目標水位となるように前記圧力容器に連続給水する給水手段と、
前記給水ラインを流通する給水と前記ドレン排出ラインを流通するドレンとの間で熱交換を行う熱交換器と、を備える蒸気発生装置。
【請求項２】
前記給水ラインにおける前記熱交換器よりも下流側に配置される圧力損失部を更に備える請求項１に記載の蒸気発生装置。
【請求項３】
前記給水手段は、前記給水ラインにおける前記熱交換器よりも上流側に配置される請求項１又は２に記載の蒸気発生装置。
【請求項４】
一端側が前記ドレン排出ラインにおける前記熱交換器よりも上流側に接続され、他端側が前記ドレン排出ラインにおける前記熱交換器よりも下流側に接続されるバイパスラインと、
前記ドレン排出ライン側又は前記バイパスライン側にドレンの流路を切り替えるバイパス弁と、を更に備える請求項１〜３のいずれかに記載の蒸気発生装置。
【請求項５】
前記熱交換器の下流側における給水の温度を測定する給水温度測定部と、
前記給水温度測定部により測定された給水の温度が予め設定された第１温度を超えた場合に、前記ドレン排出ラインを流通するドレンが前記バイパスラインを流通するように前記バイパス弁を制御するバイパス制御部と、を更に備える請求項４に記載の蒸気発生装置。
【発明の詳細な説明】
【技術分野】
【０００１】
本発明は、蒸気発生装置に関する。より詳細には、蒸気と水とを間接熱交換して清浄な蒸気を発生させる蒸気発生装置に関する。
【背景技術】
【０００２】
従来、圧力タンクに貯留した純水を、ボイラで発生させた蒸気を用いて間接熱交換することで清浄な蒸気（クリーン蒸気）を発生させるクリーン蒸気発生装置が提案されている（例えば、特許文献１参照）。
【先行技術文献】
【特許文献】
【０００３】
【特許文献１】特開２０１０−００２０５７号公報
【発明の概要】
【発明が解決しようとする課題】
【０００４】
特許文献１で提案されたクリーン蒸気発生装置では、クリーン蒸気を発生させるための熱源として用いられた蒸気が凝縮して生成されるドレン水をタンクに貯留し、クリーン蒸気を発生させる水として用いている。
【０００５】
このように、熱源として用いられる蒸気から得られたドレン水を、クリーン蒸気を発生させるための水として用いた場合、ドレン水の保有する熱を有効に利用できる一方、クリーン蒸気の清浄度を十分に確保できない場合がある。
【０００６】
従って、本発明は、熱の利用効率を高めつつ、より清浄度の高いクリーン蒸気を発生させられる蒸気発生装置を提供することを目的とする。
【課題を解決するための手段】
【０００７】
本発明は、圧力容器、及び該圧力容器の内部に配置され内部に蒸気が流通するチューブを有し、該圧力容器の内部の貯留水を前記チューブを流通する蒸気により加熱して蒸気を発生させる蒸気発生装置であって、前記チューブに蒸気を供給する蒸気供給ラインと、前記チューブを流通したドレンを排出するドレン排出ラインと、前記圧力容器に給水する給水ラインと、前記給水ラインに配置され、前記圧力容器の水位が所定の目標水位となるように前記圧力容器に連続給水する給水手段と、前記給水ラインを流通する給水と前記ドレン排出ラインを流通するドレンとの間で熱交換を行う熱交換器と、を備える蒸気発生装置に関する。
【０００８】
また、蒸気発生装置は、前記給水ラインにおける前記熱交換器よりも下流側に配置される圧力損失部を更に備えることが好ましい。
【０００９】
また、前記給水手段は、前記給水ラインにおける前記熱交換器よりも上流側に配置されることが好ましい。
【００１０】
また、蒸気発生装置は、一端側が前記ドレン排出ラインにおける前記熱交換器よりも上流側に接続され、他端側が前記ドレン排出ラインにおける前記熱交換器よりも下流側に接続されるバイパスラインと、前記熱源流体排出ライン側又は前記バイパスライン側にドレンの流路を切り替えるバイパス弁と、を更に備えることが好ましい。
【００１１】
また、蒸気発生装置は、前記熱交換器の下流側における給水の温度を測定する給水温度測定部と、前記給水温度測定部により測定された給水の温度が予め設定された第１温度を超えた場合に、前記ドレン排出ラインを流通するドレンが前記バイパスラインを流通するように前記バイパス弁を制御するバイパス制御部と、を更に備えることが好ましい。
【発明の効果】
【００１２】
本発明の蒸気発生装置によれば、熱の利用効率を高めつつ、より清浄度の高いクリーン蒸気を発生させられる。
【図面の簡単な説明】
【００１３】
【図１】本発明の一実施形態に係る蒸気発生装置の全体構成を示す図である。
【発明を実施するための形態】
【００１４】
以下、本発明の蒸気発生装置の好ましい一実施形態について、図面を参照しながら説明する。
本実施形態の蒸気発生装置１は、圧力容器に貯留した純水を、ボイラで発生させた蒸気を用いて間接熱交換することで清浄な蒸気（クリーン蒸気）を発生させる。蒸気発生装置１は、図１に示すように、圧力容器１０と、この圧力容器１０の内部に配置されるチューブ２０と、蒸気供給ラインＬ１と、ドレン排出ラインＬ２と、給水ラインＬ３と、熱交換器３０と、バイパスラインＬ４と、クリーン蒸気ラインＬ５と、制御部９０と、を備える。
【００１５】
圧力容器１０は、耐圧性を有する容器により構成され、内部に水（貯留水）を貯留する。本実施形態では、圧力容器１０は、ステンレス製の耐圧容器により構成される。
圧力容器１０には、圧力センサ１１及び水位センサ１２が取り付けられる。
圧力センサ１１は、圧力容器１０の内部の圧力を検出する。水位センサ１２は、圧力容器１０に貯留された貯留水の水位を検出する。
【００１６】
チューブ２０は、圧力容器１０の内部に配置される。より具体的には、チューブ２０は、一端側及び他端側が圧力容器１０の側面を貫通して圧力容器１０の外部に配置され、中間部分が圧力容器１０の内部における貯留水が貯留される位置（液相部分）に配置される。本実施形態では、Ｕ字状に曲げられた複数本のチューブ２０が圧力容器１０の内部に配置される。チューブ２０は、熱伝導率のよい金属素材（例えばステンレス）により構成される。
【００１７】
蒸気供給ラインＬ１は、上流側が蒸気ボイラ等の蒸気発生装置（図示せず）に接続され、下流側がチューブ２０の一端側（上流側の端部）に接続される。蒸気供給ラインＬ１は、チューブ２０に蒸気を供給する。蒸気供給ラインＬ１には、蒸気流量調整弁１３が配置される。蒸気流量調整弁１３は、開度調整可能なモータバルブ等により構成され、蒸気供給ラインＬ１を流通する蒸気の流量（つまり、チューブ２０に供給される蒸気の流量）を調整する。
【００１８】
ドレン排出ラインＬ２は、上流側がチューブ２０の他端側（下流側の端部）に接続される。ドレン排出ラインＬ２は、蒸気供給ラインＬ１からチューブ２０に供給された蒸気が圧力容器１０の内部において貯留水と間接熱交換することにより凝縮して生じたドレンを排出する。ドレン排出ラインＬ２には、スチームトラップ２１及びバイパス弁２２が配置される。
【００１９】
スチームトラップ２１は、ドレン排出ラインＬ２における上流側（圧力容器１０の近傍）に配置される。スチームトラップ２１は、ドレン排出ラインＬ２において前後に圧力差が生じた状態で作動し、チューブ２０において発生したドレンを排出し、かつ、蒸気の排出を防止する。
【００２０】
バイパス弁２２は、ドレン排出ラインＬ２におけるスチームトラップ２１よりも下流側に配置される。バイパス弁２２は、チューブ２０から排出されてドレン排出ラインＬ２を流れるドレンの流路を、ドレン排出ラインＬ２の下流側、又は後述のバイパスラインＬ４側に切り替える。本実施形態では、バイパス弁２２は、ドレン排出ラインＬ２とバイパスラインＬ４との接続部分に取り付けられた三方弁により構成される。
【００２１】
給水ラインＬ３は、上流側が給水源（図示せず）に接続され、下流側が圧力容器１０の下部に接続される。給水ラインＬ３は、圧力容器１０に給水を行う。本実施形態では、給水ラインＬ３には、純水装置３１、脱気装置３２、給水手段としての給水ポンプ３３、熱交換器３０、給水温度測定部としての給水温度センサ３４及び圧力損失部としてのオリフィス３５が配置される。
【００２２】
純水装置３１は、例えば、陽イオン交換樹脂及び陰イオン交換樹脂を含んで構成され、給水源から供給される原水中に含まれる各種イオンをイオン交換樹脂に吸着させて処理水（純水）を製造する。
脱気装置３２は、純水装置３１よりも下流側に配置される。脱気装置３２は、給水ラインＬ３を流通する給水（純水）を脱酸素処理して脱気水を製造する。
給水ポンプ３３は、脱気装置３２の下流側に配置され、純水装置３１及び脱気装置３２を経た清浄な給水を圧力容器１０に供給する。本実施形態では、給水ポンプ３３は、後述の制御部９０の制御により、圧力容器１０の水位が所定の目標水位となるように圧力容器１０に連続給水を行う。
【００２３】
熱交換器３０は、給水ラインＬ３を流通する給水と、ドレン排出ラインＬ２を流通するドレンとの間で間接熱交換を行う。これにより、給水ラインＬ３を流通する給水は、ドレン排出ラインＬ２を流通するドレンにより加熱される。熱交換器３０は、給水ラインＬ３における給水ポンプ３３の下流側、かつ、ドレン排出ラインＬ２におけるバイパス弁２２の下流側に配置される。
【００２４】
給水温度センサ３４は、熱交換器３０の下流側に配置される。給水温度センサ３４は、熱交換器３０の下流側における給水の温度を検出する。
オリフィス３５は、給水ラインＬ３における最も下流側（圧力容器１０との接続部分の近傍）に配置される。オリフィス３５は、給水ラインＬ３を流通する給水に圧力損失を生じさせる。
【００２５】
バイパスラインＬ４は、一端側がドレン排出ラインＬ２における熱交換器３０よりも上流側に接続され、他端側がドレン排出ラインＬ２における熱交換器３０よりも下流側に接続される。バイパスラインＬ４は、ドレン排出ラインＬ２を流通するドレンを、熱交換器３０をバイパスして流通させる。本実施形態では、上述のように、ドレン排出ラインＬ２とバイパスラインＬ４の一端側（上流側）との接続部分にバイパス弁２２が配置される。
【００２６】
クリーン蒸気ラインＬ５は、上流側が圧力容器１０の上部に接続され、下流側が蒸気利用設備（図示せず）に接続される。クリーン蒸気ラインＬ５は、圧力容器１０の内部で発生した蒸気を蒸気利用設備に供給する。
【００２７】
制御部９０は、各種弁及び給水ポンプ３３等を制御することで、蒸気発生装置１の動作を制御する。制御部９０の具体的な制御については後述する。
【００２８】
以上の蒸気発生装置１によれば、給水源から供給された給水は、純水装置３１及び脱気装置３２によって処理され、給水ポンプ３３により圧力容器１０に導入されて貯留水として貯留される。ここで、給水ラインＬ３における給水ポンプ３３の下流側には、熱交換器３０が配置されている。これにより、給水ラインＬ３を流通する給水は、給水ポンプ３３の下流側においてドレン排出ラインＬ２を流通するドレンにより加熱された状態で圧力容器１０に導入される。また、給水ラインＬ３における最も下流側（圧力容器１０の入口近傍）には、圧力損失部としてのオリフィス３５が配置されている。これにより、給水ラインＬ３におけるオリフィス３５の上流側では、給水には所定の圧力が付加され、給水の沸点（飽和温度）は上昇する。
【００２９】
圧力容器１０の内部に貯留された貯留水は、蒸気供給ラインＬ１からチューブ２０に供給される蒸気によって間接熱交換されて加熱される。そして貯留水が加熱されることで沸騰し、圧力容器１０の内部で蒸気が発生する。この蒸気は、清浄な貯留水が間接熱交換により加熱されて生成されたものなので、清浄なクリーン蒸気となる。
圧力容器１０の内部で発生したクリーン蒸気は、クリーン蒸気ラインＬ５を通じて蒸気利用設備に供給される。
【００３０】
一方、蒸気供給ラインＬ１からチューブ２０に供給された蒸気は、圧力容器１０の内部において貯留水と間接熱交換することで凝縮してドレンとなる。蒸気が凝縮して生じたドレンは、ドレン排出ラインＬ２を通じて排出される。ドレン排出ラインＬ２を流通するドレンは、熱交換器３０において給水ラインＬ３を流通する給水と間接熱交換して、給水を加熱する。熱交換器３０において給水の加熱に用いられたドレンは、外部（例えば、ドレンを貯留するドレンタンク（図示せず））に排出される。
また、ドレン排出ラインＬ２に配置されたバイパス弁２２をバイパスラインＬ４側に切り替えた場合には、ドレン排出ラインＬ２を流通するドレンは、熱交換器３０をバイパスしてバイパスラインＬ４を流れ、外部に排出される。
【００３１】
次に、制御部９０による制御について説明する。
本実施形態では、制御部９０は、圧力容器１０の水位が所定の目標水位となるように圧力容器１０に連続給水させることで、給水ラインＬ３を流通する給水とドレン排出ラインＬ２を流通するドレンの流量のバランスを良好に保ち、蒸気発生装置１の装置構成を大型化することなく、熱の利用効率を向上させている。このような機能を実現するために、制御部９０は、給水制御部９１と、蒸気供給制御部９２と、バイパス制御部９３と、を含んで構成される。
【００３２】
給水制御部９１は、圧力容器１０の水位が、予め設定された所定の目標水位となるように給水ポンプ３３の出力（回転数）を制御し、給水ラインＬ３から圧力容器１０に連続給水を行う。より具体的には、制御部９０には、圧力容器１０における貯留水の好適な水位である目標水位が設定されて記憶されている。そして、給水制御部９１は、水位センサ１２により検出される水位が目標水位に一致するように給水ポンプ３３の出力を制御する。
【００３３】
例えば、給水制御部９１は、検出される水位が低く、目標水位との偏差が大きい場合には、給水ポンプ３３の出力を増加させて給水ラインＬ３を流通する給水量を増加させる。一方、検出される水位が目標水位に近づき、偏差が小さくなった場合には、給水制御部９１は、給水ポンプ３３の出力を低下させて給水ラインＬ３を流通する給水量を減少させる。
【００３４】
蒸気供給制御部９２は、圧力容器１０の内部のクリーン蒸気の蒸気圧に基づいて、チューブ２０への蒸気の供給量を制御する。より具体的には、制御部９０には、圧力容器１０の内部におけるクリーン蒸気の目標蒸気圧が設定されて記憶されている。そして、蒸気供給制御部９２は、圧力センサ１１により検出されるクリーン蒸気の蒸気圧が目標蒸気圧に一致するように蒸気流量調整弁１３の開度を調整して、チューブ２０への蒸気の供給量を制御する。
【００３５】
例えば、蒸気供給制御部９２は、検出されるクリーン蒸気の蒸気圧が低く、目標蒸気圧との偏差が大きい場合には、蒸気流量調整弁１３の開度を大きくしてチューブ２０に供給される蒸気の量を増加させる。一方、検出されるクリーン蒸気の蒸気圧が目標蒸気圧に近づき、偏差が小さくなった場合には、蒸気供給制御部９２は、蒸気流量調整弁１３の開度を小さくしてチューブ２０に供給される蒸気の量を減少させる。
【００３６】
以上の制御によれば、例えば、蒸気利用設備におけるクリーン蒸気使用量が増加した場合、圧力容器１０の内部のクリーン蒸気の蒸気圧は低下する。すると、蒸気供給制御部９２は、蒸気流量調整弁１３の開度を大きくしてチューブ２０への蒸気の供給量を増加させて圧力容器１０の内部でのクリーン蒸気の生成を増加させることで圧力容器１０の内部のクリーン蒸気の蒸気圧を上昇させる。チューブ２０への蒸気の供給量が増加すると、蒸気から生じるドレンの量も増加するため、ドレン排出ラインＬ２を流通するドレンの流量も増加する。また、圧力容器１０の内部でのクリーン蒸気の生成量が増加すると、圧力容器１０の貯留水の蒸発量が増加するため、圧力容器１０の内部の水位は低下する。すると、給水制御部９１は、給水ポンプ３３の出力を上げて給水ラインＬ３を流通する給水の流量を増加させ、圧力容器１０の内部の水位を上昇させる。
このように、本実施形態によれば、チューブ２０への蒸気の供給量が増加し、ドレン排出ラインＬ２を流通するドレンの流量が増加した場合には、給水ラインＬ３を流通する給水の流量も増加することになる。
【００３７】
一方、蒸気利用設備におけるクリーン蒸気使用量が減少した場合、圧力容器１０の内部のクリーン蒸気の蒸気圧は上昇する。すると、蒸気供給制御部９２は、蒸気流量調整弁１３の開度を小さくしてチューブ２０への蒸気の供給量を減少させて圧力容器１０の内部でのクリーン蒸気の生成を減少させることで圧力容器１０の内部のクリーン蒸気の蒸気圧を低下させる。チューブ２０への蒸気の供給量が減少すると、蒸気から生じるドレンの量も減少するため、ドレン排出ラインＬ２を流通するドレンの流量も減少する。また、圧力容器１０の内部でのクリーン蒸気の生成量が減少すると、圧力容器１０の貯留水の蒸発量が減少するため、圧力容器１０の内部の水位は上昇する。すると、給水制御部９１は、給水ポンプ３３の出力を下げて給水ラインＬ３を流通する給水の流量を減少させ、圧力容器１０の内部の水位を低下させる。
このように、本実施形態によれば、チューブ２０への蒸気の供給量が減少し、ドレン排出ラインＬ２を流通するドレンの流量が減少した場合には、給水ラインＬ３を流通する給水の流量も減少することになる。
【００３８】
バイパス制御部９３は、給水温度センサ３４により測定された給水の温度が予め設定された第１温度を超えた場合に、ドレン排出ラインＬ２を流通するドレンがバイパスラインＬ４を流通するようにバイパス弁２２を制御する。これにより、給水ラインＬ３を流通する給水の温度が上昇しすぎた場合に、熱交換器３０へのドレンの供給を停止させられるので、給水ラインＬ３を流通する給水が沸騰してしまうことを抑制できる。第１温度としては、給水ラインＬ３を流通する給水の設定圧力における飽和温度を若干下回る温度に設定されることが好ましい。
【００３９】
以上説明した本実施形態の蒸気発生装置１によれば、以下のような効果を奏する。
【００４０】
（１）蒸気発生装置１を、給水ラインＬ３を流通する給水とドレン排出ラインＬ２を流通するドレンとの間で熱交換を行う熱交換器３０と、圧力容器１０の水位が目標水位となるように圧力容器１０に連続給水する給水ポンプ３３と、を含んで構成した。これにより、圧力容器１０で発生したクリーン蒸気の蒸気利用設備における使用量が多い場合には、クリーン蒸気を多く発生させるために、給水量及びチューブ２０に供給する蒸気の量を増加させ、蒸気利用設備における蒸気使用量が少ない場合には、クリーン蒸気の発生量を減少させるために、給水量及びチューブ２０に供給する蒸気の量が減少される。よって、給水ラインＬ３を流通する給水の流通量が多いときにはドレン排出ラインＬ２を流通するドレンの流通量も多くでき、給水ラインＬ３を流通する給水の流通量が少ないときにはドレン排出ラインＬ２を流通するドレンの流通量も少なくできる。その結果、熱交換器３０における給水とドレンの熱交換のバランスが大きく崩れないので、給水により安定的に熱回収ができる。従って、純水や軟水等の清浄度の高い水を用いてクリーン蒸気を発生させた場合であっても、熱の利用効率を高くできる蒸気発生装置１を実現できる。
また、給水ラインＬ３において連続給水を行うことで、給水ラインＬ３の給水が滞留することを防げるので、熱交換器３０において給水ラインＬ３を流通する給水が過熱されて沸騰してしまうことを抑制できる。
更に、例えば、純水装置３１により製造された純水等の清浄度の高い水を、給水ラインＬ３の途中で他のタンク等に貯留することなくワンパスにて圧力容器１０に供給できるため、水の清浄度をより高く保てる。
【００４１】
（２）蒸気発生装置１を、給水ラインＬ３における熱交換器３０よりも下流側に配置されるオリフィス３５を含んで構成した。これにより、給水ラインＬ３を流通する給水に所定の圧力を付加して給水の沸点を高くできるので、熱交換器３０において、給水ラインＬ３を流通する給水とドレン排出ラインＬ２を流通するドレンとの間でより多くの熱を交換させられる。よって、熱回収率を高められる。
【００４２】
（３）給水ポンプ３３を給水ラインＬ３における熱交換器３０よりも上流側に配置した。これにより、給水の温度が低い位置に給水ポンプ３３を配置できるので、高温水対応給水ポンプを用いることなく蒸気発生装置１を構成できる。
【００４３】
（４）蒸気発生装置１を、ドレン排出ラインＬ２に接続され熱交換器３０をバイパスするバイパスラインＬ４と、バイパス弁２２と、を含んで構成した。これにより、給水ラインＬ３による圧力容器１０への給水が止まった場合等に、ドレン排出ラインＬ２を流通するドレンを、熱交換器３０をバイパスさせて流通させられる。よって、蒸気発生装置１の安全性を向上させられる。
【００４４】
（５）蒸気発生装置１を、熱交換器３０の下流側における給水の温度を測定する給水温度センサ３４と、給水温度センサ３４により測定された給水の温度が予め第１温度を超えた場合に、ドレン排出ラインＬ２を流通するドレンがバイパスラインＬ４を流通するようにバイパス弁２２を制御するバイパス制御部９３と、を含んで構成した。これにより、給水の温度が上昇しすぎた場合に、熱交換器３０へのドレンの供給を停止させられる。よって、給水が沸騰してしまうことを抑制できるので、蒸気発生装置１の安全性をより向上させられる。
【００４５】
以上、本発明の蒸気発生装置１の好ましい一実施形態について説明したが、本発明は、上述した実施形態に制限されるものではなく、適宜変更が可能である。
例えば、本実施形態では、バイパス弁２２として三方弁を用いたが、これに限らない。即ち、バイパス弁を、バイパスラインＬ４及びドレン排出ラインＬ２におけるバイパスラインＬ４との接続部よりも下流側のそれぞれに配置される２つの開閉弁により構成してもよい。
【００４６】
また、本実施形態では、蒸気供給制御部９２に、圧力センサ１１により検出されるクリーン蒸気の蒸気圧が目標蒸気圧に一致するように蒸気流量調整弁１３の開度を調整して、チューブ２０への蒸気の供給量を制御させたが、これに限らない。即ち、制御部に、圧力容器の内部のクリーン蒸気の蒸気圧と蒸気流量調整弁の開度と、を対応付けて記憶させ、蒸気供給制御部に、圧力センサにより検出されるクリーン蒸気の蒸気圧に対応した開度で蒸気流量調整弁の開度を制御させてもよい。
【００４７】
また、本実施形態では、蒸気発生装置１を、純水装置３１及び脱気装置３２を含んで構成し、圧力容器１０に純水を供給したが、これに限らない。圧力容器に供給する給水は、例えば、硬度成分が除去された軟水であってもよい。この場合、蒸気発生装置を、軟水装置を含んで構成することができる。
【符号の説明】
【００４８】
１  蒸気発生装置
１０  圧力容器
２０  チューブ
２２  バイパス弁
３０  熱交換器
３３  給水ポンプ（給水手段）
３４  給水温度センサ（給水温度測定部）
３５  オリフィス（圧力損失部）
９３  バイパス制御部
Ｌ１  蒸気供給ライン
Ｌ２  ドレン排出ライン
Ｌ３  給水ライン
Ｌ４  バイパスライン
【図１】
2020041771.tif 000003